(57)【要約】  本願の実施例はサービス配布方法、ネットワーク装置及び端末装置を提供し、端末装置はライセンスネットワーク及び非ライセンスネットワークにアクセスして、ライセンス周波数帯域及び非ライセンス周波数帯域でのサービス配布を実現する。該方法は５Ｇ通信システムに適用され、該方法は、端末装置はライセンスネットワーク及び／又は非ライセンスネットワークである第１のネットワークにアクセスした後、ネットワーク装置はＰＤＵセッション又はＱｏＳフロー又はＤＲＢである第１の情報に基づいて、該端末装置によるライセンス周波数帯域及び非ライセンス周波数帯域でのサービス配布を制御するための制御情報を確定することと、該ネットワーク装置は該制御情報を該端末装置に送信することと、を含む。
2021514555.tif 000002
【特許請求の範囲】
【請求項１】
サービス配布方法であって、第５世代移動通信技術（５Ｇ）通信システムに適用され、
端末装置はライセンスネットワーク及び／又は非ライセンスネットワークである第１のネットワークにアクセスした後、ネットワーク装置はパケットデータユニット（ＰＤＵ）セッション又はサービス品質（ＱｏＳ）フロー又はデータ無線ベアラ（ＤＲＢ）である第１の情報に基づいて、前記端末装置によるライセンス周波数帯域及び非ライセンス周波数帯域でのサービス配布を制御するための制御情報を確定することと、
前記ネットワーク装置は前記制御情報を前記端末装置に送信することと、を含むことを特徴とするサービス配布方法。
【請求項２】
前記端末装置が前記第１のネットワークにアクセスする前に、前記方法は、
前記ネットワーク装置は、ライセンスネットワーク及び非ライセンスネットワークにおいて前記端末装置が選択してアクセスする優先度情報を示すための第１の設定情報を、前記端末装置に送信すること、を更に含むことを特徴とする請求項１に記載の方法。
【請求項３】
前記端末装置が前記第１のネットワークにアクセスする前に、前記方法は、
前記ネットワーク装置は、サービスのＱｏＳ需要及び／又はユーザ契約情報に基づいて、サービスのＱｏＳ需要及び／又はユーザ契約情報とライセンスネットワーク及び非ライセンスネットワークとの対応関係を示すための第２の設定情報を、前記端末装置に送信すること、を更に含むことを特徴とする請求項１に記載の方法。
【請求項４】
前記端末装置が前記第１のネットワークにアクセスする方式は、前記端末装置が非ライセンス周波数帯域でプライマリセル機能及びセカンダリセル機能を実現することを指すスタンドアローン、又は、前記端末装置が非ライセンス周波数帯域でセカンダリセル機能を実現することを指す非スタンドアローンであることを特徴とする請求項１〜３のいずれか１項に記載の方法。
【請求項５】
前記第１の情報がＰＤＵセッションである場合、前記ネットワーク装置はコアネットワーク装置であり、前記制御情報は具体的に、前記端末装置によるライセンス周波数帯域及び非ライセンス周波数帯域での異なるＰＤＵセッションのサービス配布を制御することに用いられることを特徴とする請求項１〜４のいずれか１項に記載の方法。
【請求項６】
前記コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なることを特徴とする請求項５に記載の方法。
【請求項７】
前記第１の情報がＱｏＳフローである場合、前記ネットワーク装置はコアネットワーク装置であり、前記制御情報は具体的に、前記端末装置によるライセンス周波数帯域及び非ライセンス周波数帯域での同一のＰＤＵセッションにおける異なるＱｏＳフローのサービス配布を制御することに用いられることを特徴とする請求項１〜４のいずれか１項に記載の方法。
【請求項８】
前記コアネットワーク装置はＡＭＦ装置であり、ライセンス周波数帯域及び非ライセンス周波数帯域に対応するコアネットワーク装置は同じであることを特徴とする請求項７に記載の方法。
【請求項９】
前記第１の情報がＤＲＢである場合、前記ネットワーク装置はアクセスネットワーク装置であり、前記端末装置が前記第１のネットワークにアクセスする方式は非スタンドアローンであり、前記制御情報は具体的に、前記端末装置によるライセンス周波数帯域及び非ライセンス周波数帯域での異なるＤＲＢのサービス配布を制御することに用いられることを特徴とする請求項１〜４のいずれか１項に記載の方法。
【請求項１０】
前記ネットワーク装置が前記第１の情報に基づいて前記制御情報を確定する前に、前記方法は、
前記アクセスネットワーク装置は、コアネットワーク装置又は前記端末装置から送信された、前記端末装置に対するＤＲＢをライセンス周波数帯域及び非ライセンス周波数帯域に配布することを示す第１の指示情報を受信すること、を更に含み、
前記ネットワーク装置が第１の情報に基づいて制御情報を確定することは、
前記アクセスネットワーク装置は前記第１の指示情報に基づいて前記制御情報を確定することを含むことを特徴とする請求項９に記載の方法。
【請求項１１】
前記ネットワーク装置が前記第１の情報に基づいて前記制御情報を確定する前に、前記方法は、
前記アクセスネットワーク装置は、コアネットワーク装置から送信された、５Ｇサービス品質インジケータ（５ＱＩ）又はＱｏＳフローインジケータ（ＱＦＩ）に基づいてサービスをライセンス周波数帯域及び非ライセンス周波数帯域に配布することを示す第２の指示情報を受信することと、
前記アクセスネットワーク装置は前記第２の指示情報に基づいて、ＤＲＢをライセンス周波数帯域及び非ライセンス周波数帯域に配布する制約条件を確定することと、を更に含み、
前記ネットワーク装置が第１の情報に基づいて制御情報を確定することは、
前記アクセスネットワーク装置は前記制約条件に基づいて前記制御情報を確定することを含むことを特徴とする請求項９に記載の方法。
【請求項１２】
サービス配布方法であって、第５世代移動通信技術（５Ｇ）通信システムに適用され、
端末装置はライセンスネットワーク及び／又は非ライセンスネットワークである第１のネットワークにアクセスした後、前記端末装置はネットワーク装置から送信された、パケットデータユニット（ＰＤＵ）セッション又はサービス品質（ＱｏＳ）フロー又はデータ無線ベアラ（ＤＲＢ）である第１の情報に基づいて確定された制御情報を受信し、前記制御情報は前記端末装置によるライセンス周波数帯域及び非ライセンス周波数帯域でのサービス配布を制御することに用いられることと、
前記端末装置は前記制御情報に基づいて、ライセンス周波数帯域及び非ライセンス周波数帯域でサービス配布を実行することと、を含むことを特徴とするサービス配布方法。
【請求項１３】
前記端末装置が前記第１のネットワークにアクセスする前に、前記方法は、
前記端末装置は前記ネットワーク装置から送信された第１の設定情報を受信し、前記第１の設定情報は、ライセンスネットワーク及び非ライセンスネットワークにおいて前記端末装置が選択してアクセスする優先度情報を示すことに用いられることと、
前記端末装置は前記第１の設定情報に基づいて、ネットワークにアクセスする必要があるネットワーク識別情報、及び／又は、初期アクセス、アタッチ及び登録のためのネットワークにアクセスする必要があるシステム情報を確定することと、
前記端末装置は、前記ネットワークにアクセスする必要があるネットワーク識別情報、及び／又は、初期アクセス、アタッチ及び登録のためのネットワークにアクセスする必要があるシステム情報に基づいて、前記第１のネットワークにアクセスすることと、を更に含むことを特徴とする請求項１２に記載の方法。
【請求項１４】
前記端末装置が前記第１のネットワークにアクセスする前に、前記方法は、
前記端末装置は、前記ネットワーク装置から送信された、サービスのＱｏＳ需要及び／又はユーザ契約情報とライセンスネットワーク及び非ライセンスネットワークとの対応関係を示すための第２の設定情報を受信することと、
前記端末装置は、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、前記第１のネットワークにアクセスすることと、を更に含むことを特徴とする請求項１２に記載の方法。
【請求項１５】
前記端末装置が前記第１のネットワークにアクセスする方式は、前記端末装置が非ライセンス周波数帯域でプライマリセル機能及びセカンダリセル機能を実現することを指すスタンドアローン、又は、前記端末装置が非ライセンス周波数帯域でセカンダリセル機能を実現することを指す非スタンドアローンであることを特徴とする請求項１２〜１４のいずれか１項に記載の方法。
【請求項１６】
前記第１の情報がＰＤＵセッションである場合、前記ネットワーク装置はコアネットワーク装置であり、前記制御情報は具体的に、前記端末装置によるライセンス周波数帯域及び非ライセンス周波数帯域での異なるＰＤＵセッションのサービス配布を制御することに用いられ、
前記端末装置が前記制御情報に基づいてライセンス周波数帯域及び非ライセンス周波数帯域でサービス配布を実行することは、
前記端末装置は前記制御情報に基づいて、ライセンス周波数帯域及び非ライセンス周波数帯域で異なるＰＤＵセッションのサービス配布を実行することを含むことを特徴とする請求項１２〜１５のいずれか１項に記載の方法。
【請求項１７】
前記コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なることを特徴とする請求項１６に記載の方法。
【請求項１８】
前記第１の情報がＱｏＳフローである場合、前記ネットワーク装置はコアネットワーク装置であり、前記制御情報は具体的に、前記端末装置によるライセンス周波数帯域及び非ライセンス周波数帯域での同一のＰＤＵセッションにおける異なるＱｏＳフローのサービス配布を制御することに用いられ、
前記端末装置が前記制御情報に基づいてライセンス周波数帯域及び非ライセンス周波数帯域でサービス配布を実行することは、
前記端末装置は前記制御情報に基づいて、ライセンス周波数帯域及び非ライセンス周波数帯域で同一のＰＤＵセッションにおける異なるＱｏＳフローのサービス配布を実行することを含むことを特徴とする請求項１２〜１５のいずれか１項に記載の方法。
【請求項１９】
前記コアネットワーク装置はＡＭＦ装置であり、ライセンス周波数帯域及び非ライセンス周波数帯域に対応するコアネットワーク装置は同じであることを特徴とする請求項１８に記載の方法。
【請求項２０】
前記第１の情報がＤＲＢである場合、前記ネットワーク装置はアクセスネットワーク装置であり、前記端末装置が前記第１のネットワークにアクセスする方式は非スタンドアローンであり、前記制御情報は具体的に、前記端末装置によるライセンス周波数帯域及び非ライセンス周波数帯域での異なるＤＲＢのサービス配布を制御することに用いられ、
前記端末装置が前記制御情報に基づいてライセンス周波数帯域及び非ライセンス周波数帯域でサービス配布を実行することは、
前記端末装置は前記制御情報に基づいて、ライセンス周波数帯域及び非ライセンス周波数帯域で異なるＤＲＢのサービス配布を実行することを含むことを特徴とする請求項１２〜１５のいずれか１項に記載の方法。
【請求項２１】
ネットワーク装置であって、第５世代移動通信技術（５Ｇ）通信システムに適用され、
端末装置がライセンスネットワーク及び／又は非ライセンスネットワークである第１のネットワークにアクセスした後、パケットデータユニット（ＰＤＵ）セッション又はサービス品質（ＱｏＳ）フロー又はデータ無線ベアラ（ＤＲＢ）である第１の情報に基づいて、前記端末装置によるライセンス周波数帯域及び非ライセンス周波数帯域でのサービス配布を制御するための制御情報を確定することに用いられる処理ユニットと、
前記制御情報を前記端末装置に送信することに用いられる通信ユニットと、を備えることを特徴とするネットワーク装置。
【請求項２２】
前記端末装置が前記第１のネットワークにアクセスする前に、前記通信ユニットは更に、ライセンスネットワーク及び非ライセンスネットワークにおいて前記端末装置が選択してアクセスする優先度情報を示すための第１の設定情報を、前記端末装置に送信することに用いられることを特徴とする請求項２１に記載のネットワーク装置。
【請求項２３】
前記端末装置が前記第１のネットワークにアクセスする前に、前記通信ユニットは更に、サービスのＱｏＳ需要及び／又はユーザ契約情報に基づいて、サービスのＱｏＳ需要及び／又はユーザ契約情報とライセンスネットワーク及び非ライセンスネットワークとの対応関係を示すための第２の設定情報を、前記端末装置に送信することに用いられることを特徴とする請求項２１に記載のネットワーク装置。
【請求項２４】
前記端末装置が前記第１のネットワークにアクセスする方式は、前記端末装置が非ライセンス周波数帯域でプライマリセル機能及びセカンダリセル機能を実現することを指すスタンドアローン、又は、前記端末装置が非ライセンス周波数帯域でセカンダリセル機能を実現することを指す非スタンドアローンであることを特徴とする請求項２１〜２３のいずれか１項に記載のネットワーク装置。
【請求項２５】
前記第１の情報がＰＤＵセッションである場合、前記ネットワーク装置はコアネットワーク装置であり、前記制御情報は具体的に、前記端末装置によるライセンス周波数帯域及び非ライセンス周波数帯域での異なるＰＤＵセッションのサービス配布を制御することに用いられることを特徴とする請求項２１〜２４のいずれか１項に記載のネットワーク装置。
【請求項２６】
前記コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なることを特徴とする請求項２５に記載のネットワーク装置。
【請求項２７】
前記第１の情報がＱｏＳフローである場合、前記ネットワーク装置はコアネットワーク装置であり、前記制御情報は具体的に、前記端末装置によるライセンス周波数帯域及び非ライセンス周波数帯域での同一のＰＤＵセッションにおける異なるＱｏＳフローのサービス配布を制御することに用いられることを特徴とする請求項２１〜２４のいずれか１項に記載のネットワーク装置。
【請求項２８】
前記コアネットワーク装置はＡＭＦ装置であり、ライセンス周波数帯域及び非ライセンス周波数帯域に対応するコアネットワーク装置は同じであることを特徴とする請求項２７に記載のネットワーク装置。
【請求項２９】
前記第１の情報がＤＲＢである場合、前記ネットワーク装置はアクセスネットワーク装置であり、前記端末装置が前記第１のネットワークにアクセスする方式は非スタンドアローンであり、前記制御情報は具体的に、前記端末装置によるライセンス周波数帯域及び非ライセンス周波数帯域での異なるＤＲＢのサービス配布を制御することに用いられることを特徴とする請求項２１〜２４のいずれか１項に記載のネットワーク装置。
【請求項３０】
前記処理ユニットが前記第１の情報に基づいて前記制御情報を確定する前に、前記通信ユニットは更に、コアネットワーク装置又は前記端末装置から送信された、前記端末装置に対するＤＲＢをライセンス周波数帯域及び非ライセンス周波数帯域に配布することを示す第１の指示情報を受信することに用いられ、
前記処理ユニットは具体的に、前記第１の指示情報に基づいて前記制御情報を確定することに用いられることを特徴とする請求項２９に記載のネットワーク装置。
【請求項３１】
前記処理ユニットが前記第１の情報に基づいて前記制御情報を確定する前に、前記通信ユニットは更に、コアネットワーク装置から送信された、５Ｇサービス品質インジケータ（５ＱＩ）又はＱｏＳフローインジケータ（ＱＦＩ）に基づいてサービスをライセンス周波数帯域及び非ライセンス周波数帯域に配布することを示す第２の指示情報を受信することに用いられ、
前記処理ユニットは更に、前記第２の指示情報に基づいて、ＤＲＢをライセンス周波数帯域及び非ライセンス周波数帯域に配布する制約条件を確定することに用いられ、
前記処理ユニットは具体的に、前記制約条件に基づいて前記制御情報を確定することに用いられることを特徴とする請求項２９に記載のネットワーク装置。
【請求項３２】
端末装置であって、第５世代移動通信技術（５Ｇ）通信システムに適用され、
端末装置がライセンスネットワーク及び／又は非ライセンスネットワークである第１のネットワークにアクセスした後、ネットワーク装置から送信された、パケットデータユニット（ＰＤＵ）セッション又はサービス品質（ＱｏＳ）フロー又はデータ無線ベアラ（ＤＲＢ）である第１の情報に基づいて確定された制御情報を受信することに用いられ、前記制御情報は前記端末装置によるライセンス周波数帯域及び非ライセンス周波数帯域でのサービス配布を制御することに用いられる通信ユニットと、
前記制御情報に基づいてライセンス周波数帯域及び非ライセンス周波数帯域でサービス配布を実行することに用いられる処理ユニットと、を備えることを特徴とする端末装置。
【請求項３３】
前記端末装置が前記第１のネットワークにアクセスする前に、
前記通信ユニットは更に、前記ネットワーク装置から送信された第１の設定情報を受信することに用いられ、前記第１の設定情報は、ライセンスネットワーク及び非ライセンスネットワークにおいて前記端末装置が選択してアクセスする優先度情報を示すことに用いられ、
前記処理ユニットは更に、前記第１の設定情報に基づいて、ネットワークにアクセスする必要があるネットワーク識別情報、及び／又は、初期アクセス、アタッチ及び登録のためのネットワークにアクセスする必要があるシステム情報を確定することに用いられ、
前記処理ユニットは更に、前記ネットワークにアクセスする必要があるネットワーク識別情報、及び／又は、初期アクセス、アタッチ及び登録のためのネットワークにアクセスする必要があるシステム情報に基づいて、前記第１のネットワークにアクセスすることに用いられることを特徴とする請求項３２に記載の端末装置。
【請求項３４】
前記端末装置が前記第１のネットワークにアクセスする前に、
前記通信ユニットは更に、前記ネットワーク装置から送信された、サービスのＱｏＳ需要及び／又はユーザ契約情報とライセンスネットワーク及び非ライセンスネットワークとの対応関係を示すための第２の設定情報を受信することに用いられ、
前記処理ユニットは更に、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、前記第１のネットワークにアクセスすることに用いられることを特徴とする請求項３２に記載の端末装置。
【請求項３５】
前記端末装置が前記第１のネットワークにアクセスする方式は、前記端末装置が非ライセンス周波数帯域でプライマリセル機能及びセカンダリセル機能を実現することを指すスタンドアローン、又は、前記端末装置が非ライセンス周波数帯域でセカンダリセル機能を実現することを指す非スタンドアローンであることを特徴とする請求項３２〜３４のいずれか１項に記載の端末装置。
【請求項３６】
前記第１の情報がＰＤＵセッションである場合、前記ネットワーク装置はコアネットワーク装置であり、前記制御情報は具体的に、前記端末装置によるライセンス周波数帯域及び非ライセンス周波数帯域での異なるＰＤＵセッションのサービス配布を制御することに用いられ、
前記処理ユニットは具体的に、前記制御情報に基づいて、ライセンス周波数帯域及び非ライセンス周波数帯域で異なるＰＤＵセッションのサービス配布を実行することに用いられることを特徴とする請求項３２〜３５のいずれか１項に記載の端末装置。
【請求項３７】
前記コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なることを特徴とする請求項３６に記載の端末装置。
【請求項３８】
前記第１の情報がＱｏＳフローである場合、前記ネットワーク装置はコアネットワーク装置であり、前記制御情報は具体的に、前記端末装置によるライセンス周波数帯域及び非ライセンス周波数帯域での同一のＰＤＵセッションにおける異なるＱｏＳフローのサービス配布を制御することに用いられ、
前記処理ユニットは具体的に、前記制御情報に基づいて、ライセンス周波数帯域及び非ライセンス周波数帯域で同一のＰＤＵセッションにおける異なるＱｏＳフローのサービス配布を実行することに用いられることを特徴とする請求項３２〜３５のいずれか１項に記載の端末装置。
【請求項３９】
前記コアネットワーク装置はＡＭＦ装置であり、ライセンス周波数帯域及び非ライセンス周波数帯域に対応するコアネットワーク装置は同じであることを特徴とする請求項３８に記載の端末装置。
【請求項４０】
前記第１の情報がＤＲＢである場合、前記ネットワーク装置はアクセスネットワーク装置であり、前記端末装置が前記第１のネットワークにアクセスする方式は非スタンドアローンであり、前記制御情報は具体的に、前記端末装置によるライセンス周波数帯域及び非ライセンス周波数帯域での異なるＤＲＢのサービス配布を制御することに用いられ、
前記処理ユニットは具体的に、前記制御情報に基づいて、ライセンス周波数帯域及び非ライセンス周波数帯域で異なるＤＲＢのサービス配布を実行することに用いられることを特徴とする請求項３２〜３５のいずれか１項に記載の端末装置。
【発明の詳細な説明】
【技術分野】
【０００１】
本願は通信分野に関し、より具体的に、サービス配布方法、ネットワーク装置及び端末装置に関する。
【背景技術】
【０００２】
第５世代移動通信技術新無線インタフェース（５Ｇ  ＮＲ、Ｔｈｅ  ５ｔｈ  Ｇｅｎｅｒａｔｉｏｎ  Ｎｅｗ  Ｒａｄｉｏ）はライセンス周波数帯域又は非ライセンス周波数帯域で実行可能であるが、ライセンス周波数帯域及び非ライセンス周波数帯域に対する端末装置の選択及びサービス配布動作のメカニズムが欠いている。
【発明の概要】
【発明が解決しようとする課題】
【０００３】
本願の実施例はサービス配布方法、ネットワーク装置及び端末装置を提供し、端末装置はライセンスネットワーク及び非ライセンスネットワークにアクセスし、ライセンス周波数帯域及び非ライセンス周波数帯域でのサービス配布を実現する。
【課題を解決するための手段】
【０００４】
第１の態様では、本願の実施例はサービス配布方法を提供し、第５世代移動通信技術（５Ｇ、Ｔｈｅ  ５ｔｈ  Ｇｅｎｅｒａｔｉｏｎ）通信システムに適用され、該方法は、
端末装置はライセンスネットワーク及び／又は非ライセンスネットワークである第１のネットワークにアクセスした後、ネットワーク装置はパケットデータユニット（ＰＤＵ、Ｐａｃｋｅｔ  Ｄａｔａ  Ｕｎｉｔ）セッション又はサービス品質（ＱｏＳ、Ｑｕａｌｉｔｙ  ｏｆ  Ｓｅｒｖｉｃｅ）フロー又はデータ無線ベアラ（ＤＲＢ、Ｄａｔａ  Ｒａｄｉｏ  Ｂｅａｒｅｒ）である第１の情報に基づいて、該端末装置によるライセンス周波数帯域及び非ライセンス周波数帯域でのサービス配布を制御するための制御情報を確定することと、
該ネットワーク装置は該制御情報を該端末装置に送信することと、を含む。
【０００５】
従って、本願の実施例に係るサービス配布方法において、ネットワーク装置はＰＤＵセッション又はＱｏＳフロー又はＤＲＢに基づいて制御情報を確定することで、端末装置はライセンス周波数帯域及び非ライセンス周波数帯域でのサービス配布を実現する。
【０００６】
選択肢として、第１の態様の実現方式において、該端末装置が該第１のネットワークにアクセスする前に、該方法は、
該ネットワーク装置は、ライセンスネットワーク及び非ライセンスネットワークにおいて該端末装置が選択してアクセスする優先度情報を示すための第１の設定情報を、該端末装置に送信することを更に含む。
【０００７】
従って、本願の実施例に係るサービス配布方法において、ネットワーク装置は、ライセンスネットワーク及び非ライセンスネットワークにおいて端末装置が選択してアクセスする優先度情報を構成して示すことで、端末装置はライセンスネットワーク及び非ライセンスネットワークにアクセスすることができる。
【０００８】
選択肢として、第１の態様の実現方式において、該端末装置が該第１のネットワークにアクセスする前に、該方法は、
該ネットワーク装置はサービスのＱｏＳ需要及び／又はユーザ契約情報に基づいて、サービスのＱｏＳ需要及び／又はユーザ契約情報とライセンスネットワーク及び非ライセンスネットワークとの対応関係を示すための第２の設定情報を、該端末装置に送信することを更に含む。
【０００９】
従って、本願の実施例に係るサービス配布方法において、ネットワーク装置は、サービスのＱｏＳ需要及び／又はユーザ契約情報とライセンスネットワーク及び非ライセンスネットワークとの対応関係を構成して示すことで、端末装置はライセンスネットワーク及び非ライセンスネットワークにアクセスすることができる。
【００１０】
選択肢として、第１の態様の実現方式において、該端末装置が該第１のネットワークにアクセスする方式は、該端末装置が非ライセンス周波数帯域でプライマリセル機能及びセカンダリセル機能を実現することを指すスタンドアローン、又は、該端末装置が非ライセンス周波数帯域でセカンダリセル機能を実現することを指す非スタンドアローンである。
【００１１】
選択肢として、第１の態様の実現方式において、該第１の情報がＰＤＵセッションである場合、該ネットワーク装置はコアネットワーク装置であり、該制御情報は具体的に、該端末装置によるライセンス周波数帯域及び非ライセンス周波数帯域での異なるＰＤＵセッションのサービス配布を制御することに用いられる。
【００１２】
選択肢として、第１の態様の実現方式において、該コアネットワーク装置はアクセス及びモビリティ管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）装置又はユーザプレーン機能（ＵＰＦ、Ｕｓｅｒ  Ｐｌａｎｅ  Ｆｕｎｃｔｉｏｎ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なる。
【００１３】
選択肢として、第１の態様の実現方式において、該第１の情報がＱｏＳフローである場合、該ネットワーク装置はコアネットワーク装置であり、該制御情報は具体的に、該端末装置によるライセンス周波数帯域及び非ライセンス周波数帯域での同一のＰＤＵセッションにおける異なるＱｏＳフローのサービス配布を制御することに用いられる。
【００１４】
選択肢として、第１の態様の実現方式において、該コアネットワーク装置はＡＭＦ装置であり、ライセンス周波数帯域及び非ライセンス周波数帯域に対応するコアネットワーク装置は同じである。
【００１５】
選択肢として、第１の態様の実現方式において、該第１の情報がＤＲＢである場合、該ネットワーク装置はアクセスネットワーク装置であり、該端末装置が該第１のネットワークにアクセスする方式は非スタンドアローンであり、該制御情報は具体的に、該端末装置によるライセンス周波数帯域及び非ライセンス周波数帯域での異なるＤＲＢのサービス配布を制御することに用いられる。
【００１６】
選択肢として、第１の態様の実現方式において、該ネットワーク装置が該第１の情報に基づいて該制御情報を確定する前に、該方法は、
該アクセスネットワーク装置はコアネットワーク装置又は該端末装置から送信された、該端末装置に対するＤＲＢをライセンス周波数帯域及び非ライセンス周波数帯域に配布することを示す第１の指示情報を受信することを更に含み、
該ネットワーク装置が第１の情報に基づいて制御情報を確定することは、
該アクセスネットワーク装置は該第１の指示情報に基づいて該制御情報を確定することを含む。
【００１７】
従って、本願の実施例に係るサービス配布方法において、アクセスネットワーク装置はコアネットワーク装置又は端末装置から送信された、端末装置に対するＤＲＢをライセンス周波数帯域及び非ライセンス周波数帯域に配布することを示す指示情報を受信することで、アクセスネットワーク装置は、端末装置によるライセンス周波数帯域及び非ライセンス周波数帯域での異なるＤＲＢのサービス配布を制御するための制御情報を確定することができる。
【００１８】
選択肢として、第１の態様の実現方式において、該ネットワーク装置が該第１の情報に基づいて該制御情報を確定する前に、該方法は、
該アクセスネットワーク装置はコアネットワーク装置から送信された、５Ｇサービス品質インジケータ（５ＱＩ、５Ｇ  ＱｏＳ  Ｉｎｄｉｃａｔｏｒ）又はＱｏＳフローインジケータ（ＱＦＩ、ＱｏＳ  Ｆｌｏｗ  Ｉｎｄｉｃａｔｏｒ）に基づいてサービスをライセンス周波数帯域及び非ライセンス周波数帯域に配布することを示す第２の指示情報を受信することと、
該アクセスネットワーク装置は該第２の指示情報に基づいて、ＤＲＢをライセンス周波数帯域及び非ライセンス周波数帯域に配布する制約条件を確定することと、を更に含み、
該ネットワーク装置が第１の情報に基づいて制御情報を確定することは、
該アクセスネットワーク装置は該制約条件に基づいて該制御情報を確定することを含む。
【００１９】
従って、本願の実施例に係るサービス配布方法において、アクセスネットワーク装置はコアネットワーク装置から送信された、５ＱＩ又はＱＦＩに基づいてサービスをライセンス周波数帯域及び非ライセンス周波数帯域に配布することを示す指示情報を受信することで、アクセスネットワーク装置は、端末装置によるライセンス周波数帯域及び非ライセンス周波数帯域での異なるＤＲＢのサービス配布を制御するための制御情報を確定することができる。
【００２０】
第２の態様では、本願の実施例はサービス配布方法を提供し、５Ｇ通信システムに適用され、該方法は、
端末装置はライセンスネットワーク及び／又は非ライセンスネットワークである第１のネットワークにアクセスした後、該端末装置はネットワーク装置から送信された、ＰＤＵセッション又はＱｏＳフロー又はＤＲＢである第１の情報に基づいて確定された制御情報を受信し、該制御情報は該端末装置によるライセンス周波数帯域及び非ライセンス周波数帯域でのサービス配布を制御することに用いられることと、
該端末装置は該制御情報に基づいて、ライセンス周波数帯域及び非ライセンス周波数帯域でサービス配布を実行することと、を含む。
【００２１】
従って、本願の実施例に係るサービス配布方法において、ネットワーク装置はＰＤＵセッション又はＱｏＳフロー又はＤＲＢに基づいて制御情報を確定することで、端末装置はライセンス周波数帯域及び非ライセンス周波数帯域でのサービス配布を実現する。
【００２２】
選択肢として、第２の態様の実現方式において、該端末装置が該第１のネットワークにアクセスする前に、該方法は、
該端末装置は該ネットワーク装置から送信された、ライセンスネットワーク及び非ライセンスネットワークにおいて該端末装置が選択してアクセスする優先度情報を示すための第１の設定情報を受信することと、
該端末装置は該第１の設定情報に基づいて、ネットワークにアクセスする必要があるネットワーク識別情報、及び／又は、初期アクセス、アタッチ及び登録のためのネットワークにアクセスする必要があるシステム情報を確定することと、
該端末装置は該ネットワークにアクセスする必要があるネットワーク識別情報、及び／又は、初期アクセス、アタッチ及び登録のためのネットワークにアクセスする必要があるシステム情報に基づいて、該第１のネットワークにアクセスすることと、を更に含む。
【００２３】
従って、本願の実施例に係るサービス配布方法において、ネットワーク装置は、ライセンスネットワーク及び非ライセンスネットワークにおいて端末装置が選択してアクセスする優先度情報を構成して示すことで、端末装置はライセンスネットワーク及び非ライセンスネットワークにアクセスすることができる。
【００２４】
選択肢として、第２の態様の実現方式において、該端末装置が該第１のネットワークにアクセスする前に、該方法は、
該端末装置は、該ネットワーク装置から送信された、サービスのＱｏＳ需要及び／又はユーザ契約情報とライセンスネットワーク及び非ライセンスネットワークとの対応関係を示すための第２の設定情報を受信することと、
該端末装置は、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、該第１のネットワークにアクセスすることと、を更に含む。
【００２５】
従って、本願の実施例に係るサービス配布方法において、ネットワーク装置はサービスのＱｏＳ需要及び／又はユーザ契約情報とライセンスネットワーク及び非ライセンスネットワークとの対応関係を構成して示すことで、端末装置はライセンスネットワーク及び非ライセンスネットワークにアクセスすることができる。
【００２６】
選択肢として、第２の態様の実現方式において、該端末装置が該第１のネットワークにアクセスする方式は、該端末装置が非ライセンス周波数帯域でプライマリセル機能及びセカンダリセル機能を実現することを指すスタンドアローン、又は、該端末装置が非ライセンス周波数帯域でセカンダリセル機能を実現することを指す非スタンドアローンである。
【００２７】
選択肢として、第２の態様の実現方式において、該第１の情報がＰＤＵセッションである場合、該ネットワーク装置はコアネットワーク装置であり、該制御情報は具体的に、該端末装置によるライセンス周波数帯域及び非ライセンス周波数帯域での異なるＰＤＵセッションのサービス配布を制御することに用いられ、
該端末装置が該制御情報に基づいてライセンス周波数帯域及び非ライセンス周波数帯域でサービス配布を実行することは、
該端末装置は該制御情報に基づいて、ライセンス周波数帯域及び非ライセンス周波数帯域で異なるＰＤＵセッションのサービス配布を実行することを含む。
【００２８】
選択肢として、第２の態様の実現方式において、該コアネットワーク装置はＡＭＦ装置又はＵＰＦ装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なる。
【００２９】
選択肢として、第２の態様の実現方式において、該第１の情報がＱｏＳフローである場合、該ネットワーク装置はコアネットワーク装置であり、該制御情報は具体的に、該端末装置によるライセンス周波数帯域及び非ライセンス周波数帯域での同一のＰＤＵセッションにおける異なるＱｏＳフローのサービス配布を制御することに用いられ、
該端末装置が該制御情報に基づいてライセンス周波数帯域及び非ライセンス周波数帯域でサービス配布を実行することは、
該端末装置は該制御情報に基づいてライセンス周波数帯域及び非ライセンス周波数帯域で同一のＰＤＵセッションにおける異なるＱｏＳフローのサービス配布を実行することを含む。
【００３０】
選択肢として、第２の態様の実現方式において、該コアネットワーク装置はＡＭＦ装置であり、ライセンス周波数帯域及び非ライセンス周波数帯域に対応するコアネットワーク装置は同じである。
【００３１】
選択肢として、第２の態様の実現方式において、該第１の情報がＤＲＢである場合、該ネットワーク装置はアクセスネットワーク装置であり、該端末装置が該第１のネットワークにアクセスする方式は非スタンドアローンであり、該制御情報は具体的に、該端末装置によるライセンス周波数帯域及び非ライセンス周波数帯域での異なるＤＲＢのサービス配布を制御することに用いられ、
該端末装置が該制御情報に基づいてライセンス周波数帯域及び非ライセンス周波数帯域でサービス配布を実行することは、
該端末装置は該制御情報に基づいてライセンス周波数帯域及び非ライセンス周波数帯域で異なるＤＲＢのサービス配布を実行することを含む。
【００３２】
第３の態様では、本願の実施例は、第１の態様又は第１の態様のいずれかの実現方式における方法のモジュール又はユニットを実行できるネットワーク装置を提供する。
【００３３】
第４の態様では、本願の実施例は、第２の態様又は第２の態様のいずれかの実現方式における方法のモジュール又はユニットを実行できる端末装置を提供する。
【００３４】
第５の態様では端末装置を提供し、該ネットワーク装置はプロセッサ、メモリ及び通信インタフェースを備える。プロセッサはメモリ及び通信インタフェースに接続される。メモリは命令を記憶することに用いられ、プロセッサは該命令を実行することに用いられ、通信インタフェースはプロセッサの制御下で他のネットワーク要素と通信を行うことに用いられる。該プロセッサは該メモリに記憶される命令を実行する場合、該実行により該プロセッサは第１の態様又は第１の態様のいずれかの実現方式における方法を実行する。
【００３５】
第６の態様ではネットワーク装置を提供し、該端末装置はプロセッサ、メモリ及び通信インタフェースを備える。プロセッサはメモリ及び通信インタフェースに接続される。メモリは命令を記憶することに用いられ、プロセッサは該命令を実行することに用いられ、通信インタフェースはプロセッサの制御下で他のネットワーク要素と通信を行うことに用いられる。該プロセッサは該メモリに記憶される命令を実行する場合、該実行により該プロセッサは第２の態様又は第２の態様のいずれかの実現方式における方法を実行する。
【００３６】
第７の態様では、上記各態様に記載の方法を実行する命令をコンピュータに指示するためのプログラムコードが記憶されるコンピュータ記憶媒体を提供する。
【００３７】
第８の態様では命令を含むコンピュータプログラム製品を提供し、コンピュータ上で実行されると、コンピュータに上記各態様に記載の方法を実行させる。
【発明の効果】
【００３８】
本願の実施例はサービス配布方法、ネットワーク装置及び端末装置を提供し、端末装置はライセンスネットワーク及び非ライセンスネットワークにアクセスし、ライセンス周波数帯域及び非ライセンス周波数帯域でのサービス配布を実現する。
【図面の簡単な説明】
【００３９】
【図１】図１は本願の実施例に適用される無線通信システムを示す図である。
【図２】図２は本願の一実施例に係るサービス配布方法の模式的なフローチャートである。
【図３】図３は本願の他の実施例に係るサービス配布方法の模式的なフローチャートである。
【図４】図４は本願の実施例に係る端末装置によるライセンスネットワーク／非ライセンスネットワークへのアクセスの模式図である。
【図５】図５は本願の実施例に係る他の端末装置によるライセンスネットワーク／非ライセンスネットワークへのアクセスの模式図である。
【図６】図６は本願の実施例に係るネットワーク装置の模式的なブロック図である。
【図７】図７は本願の実施例に係る端末装置の模式的なブロック図である。
【図８】図８は本願の実施例に係るサービス配布装置を示す模式的なブロック図である。
【図９】図９は本願の実施例に係るシステムチップの構造模式図である。
【発明を実施するための形態】
【００４０】
以下、本願の実施例における図面を参照しながら、本願の実施例における技術案を明確で完全に説明する。
【００４１】
本願の実施例の技術案は５Ｇ  ＮＲ通信システムに適用することができる。
【００４２】
図１は本願の実施例に適用される無線通信システム１００を示す。該無線通信システム１００は基地局１１０を備えてもよい。基地局１１０は端末装置と通信を行う装置であってもよい。基地局１１０は特定の地理的エリアに通信カバレッジを提供して、該カバレッジエリア内に位置する端末装置（例えばＵＥ）と通信を行うことができる。選択肢として、該基地局１１０はＮＲシステムにおける基地局（ｇＮＢ）、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよく、又は、該ネットワーク装置は中継局、アクセスポイント、車載装置、ウェアラブル装置、又は将来進化された公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００４３】
該無線通信システム１００は基地局１１０のカバレッジエリア内に位置する少なくとも１つの端末装置１２０を更に備える。端末装置１２０は移動式又は固定式であってもよい。選択肢として、端末装置１２０とはアクセス端末、ユーザ装置（ＵＥ、Ｕｓｅｒ  Ｅｑｕｉｐｍｅｎｔ）、ユーザユニット、ユーザ局、移動局、移動台、遠隔局、遠隔端末、携帯装置、ユーザ端末、端末、無線通信装置、ユーザエージェント又はユーザデバイスを指してもよい。アクセス端末はセルラー電話、コードレス電話、セッション確立プロトコル（ＳＩＰ、Ｓｅｓｓｉｏｎ  Ｉｎｉｔｉａｔｉｏｎ  Ｐｒｏｔｏｃｏｌ）電話、無線ローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能付きのハンドヘルド装置、コンピューティング装置、又は無線モデムに接続される他の処理装置、車載装置、ウェアラブル装置、将来５Ｇネットワークにおける端末装置又は将来進化されたＰＬＭＮにおける端末装置等であってもよい。
【００４４】
該無線通信システム１００は基地局と通信を行うコアネットワーク装置１３０を更に備え、該コアネットワーク装置１３０は５Ｇコアネットワーク（５ＧＣ、５Ｇ  Ｃｏｒｅ）装置、例えば、アクセス及びモビリティ管理機能（ＡＭＦ、Ａｃｃｅｓｓ  ａｎｄ  Ｍｏｂｉｌｉｔｙ  Ｍａｎａｇｅｍｅｎｔ  Ｆｕｎｃｔｉｏｎ）、又は、認証サーバ機能（ＡＵＳＦ、Ａｕｔｈｅｎｔｉｃａｔｉｏｎ  Ｓｅｒｖｅｒ  Ｆｕｎｃｔｉｏｎ）、又は、ユーザプレーン機能（ＵＰＦ、Ｕｓｅｒ  Ｐｌａｎｅ  Ｆｕｎｃｔｉｏｎ）であってもよい。
【００４５】
選択肢として、本願の実施例において、端末装置はＵＰＦから端末装置のユーザ契約情報を取得することができる。
【００４６】
図１は１つの基地局、１つのコアネットワーク装置及び２つの端末装置を例示し、選択肢として、該無線通信システム１００は複数の基地局装置を備え、且つ各基地局のカバレッジエリア内には他の数の端末装置を備えるが、本願の実施例はこれを限定しない。
【００４７】
選択肢として、該無線通信システム１００はセッション管理機能（ＳＭＦ、Ｓｅｓｓｉｏｎ  Ｍａｎａｇｅｍｅｎｔ  Ｆｕｎｃｔｉｏｎ）、統合データ管理（ＵＤＭ、Ｕｎｉｆｉｅｄ  Ｄａｔａ  Ｍａｎａｇｅｍｅｎｔ）、認証サーバ機能（ＡＵＳＦ、Ａｕｔｈｅｎｔｉｃａｔｉｏｎ  Ｓｅｒｖｅｒ  Ｆｕｎｃｔｉｏｎ）等の他のネットワークエンティティを更に備えてもよいが、本願の実施例はこれを限定しない。
【００４８】
理解されるように、本明細書における用語「システム」及び「ネットワーク」は、本明細書に交換可能に使用される場合が多い。本明細書における用語「及び／又は」は単に関連オブジェクトを説明するための関連関係であり、３種の関係が存在することを示し、例えば、Ａ及び／又はＢについては、単独にＡが存在すること、同時にＡとＢが存在すること、単独にＢが存在することを示す。また、本明細書における文字「／」は、一般的に前後関連オブジェクトが「又は」の関係であることを示す。
【００４９】
図２は本願の実施例に係るサービス配布方法２００の模式的なフローチャートである。該方法２００は、図１に示されるシステムに選択可能に適用されるが、これに限定されない。該方法２００は５Ｇ通信システムに適用され、以下の内容のうちの少なくとも一部を含む。
【００５０】
２１０、端末装置はライセンスネットワーク及び／又は非ライセンスネットワークである第１のネットワークにアクセスした後、ネットワーク装置は、ＰＤＵセッション又はＱｏＳフロー又はＤＲＢである第１の情報に基づいて、該端末装置によるライセンス周波数帯域及び非ライセンス周波数帯域でのサービス配布を制御するための制御情報を確定する。
【００５１】
２２０、該ネットワーク装置は該制御情報を該端末装置に送信する。
【００５２】
選択肢として、端末装置はライセンス及び非ライセンスの２種の無線（ｒａｄｉｏ）インタフェース、例えば、ＮＲライセンス無線インタフェース及びＮＲ非ライセンス無線インタフェースを有する。
【００５３】
ＮＲライセンス無線インタフェースはエアインタフェース接続を介して、アクセスネットワーク装置とデータを伝送することができ、即ち、該ＮＲライセンス無線インタフェースはアクセスネットワーク装置と直接論理チャネルを確立することができる。ＮＲ非ライセンス無線インタフェースは、アクセスネットワーク装置とデータ伝送を直接に行わず、非ライセンスをサポートするエアインタフェース（例えば、ＷＬＡＮプロトコル、又は、非ライセンス周波数帯域上でのＮＲプロトコルを含む他の非ライセンス周波数帯域プロトコル）を介してデータ伝送を行う。
【００５４】
選択肢として、該端末装置が該第１のネットワークにアクセスする方式は、該端末装置が非ライセンス周波数帯域でプライマリセル（ＰＣｅｌｌ、Ｐｒｉｍａｒｙ  Ｃｅｌｌ）機能及びセカンダリセル（ＳＣｅｌｌ、Ｓｅｃｏｎｄａｒｙ  Ｃｅｌｌ）機能を実現することを指すスタンドアローン（ＳＡ、Ｓｔａｎｄａｌｏｎｅ）、又は、該端末装置が非ライセンス周波数帯域でセカンダリセル機能を実現することを指す非スタンドアローン（ＮＳＡ、Ｎｏｎ−ｓｔａｎｄａｌｏｎｅ）である。
【００５５】
具体的に、図３に示すように、端末装置は非スタンドアローン（ＮＳＡ）を介してライセンスネットワーク及び／又は非ライセンスネットワークにアクセスし、端末装置はアクセスネットワーク装置（例えば、ｇＮＢ）を介してライセンスネットワークにアクセスし、ルータを介して非ライセンスネットワークにアクセスし、端末装置はサービスの一部又は全部をライセンス周波数帯域に転移してもよく、非ライセンス周波数帯域に転移してもよい。端末装置はアクセスネットワーク装置を介してコアネットワーク装置（５ＧＣ）、例えば、ＡＭＦ及びＵＰＦに直接に接続される。端末装置はルータを介してコアネットワーク装置（５ＧＣ）に直接に接続されず、先ずルータにアクセスして、それからルータがアクセスネットワーク装置にアクセスした後、アクセスネットワーク装置はコアネットワーク装置（５ＧＣ）、例えば、ＡＭＦ及びＵＰＦに接続される。
【００５６】
例えば、ＱｏＳ需要の高いサービスをライセンス周波数帯域に転移し、ＱｏＳ需要の低いサービスを非ライセンス周波数帯域に転移する。
【００５７】
また例えば、ライセンス周波数帯域に対するＰＤＵセッション（ｓｅｓｓｉｏｎ）のサービスをライセンス周波数帯域に転移し、非ライセンス周波数帯域に対するＰＤＵセッション（ｓｅｓｓｉｏｎ）のサービスを非ライセンス周波数帯域に転移する。
【００５８】
また例えば、ライセンス周波数帯域に対するＤＲＢのサービスをライセンス周波数帯域に転移し、非ライセンス周波数帯域に対するＤＲＢのサービスを非ライセンス周波数帯域に転移する。
【００５９】
具体的に、図４に示すように、端末装置はスタンドアローン（ＳＡ）を介してライセンスネットワーク及び／又は非ライセンスネットワークにアクセスし、端末装置はアクセスネットワーク装置（ｇＮＢ）を介してライセンスネットワークにアクセスし、ルータを介して非ライセンスネットワークにアクセスし、端末装置はサービスの一部又は全部をライセンス周波数帯域に転移してもよく、非ライセンス周波数帯域に転移してもよい。端末装置はアクセスネットワーク装置を介してコアネットワーク装置（５ＧＣ）、例えば、ＡＭＦ及びＵＰＦに直接に接続される。端末装置はルータを介してコアネットワーク装置（５ＧＣ）、例えば、ＡＭＦ及びＵＰＦに直接に接続される。
【００６０】
例えば、ＱｏＳ需要の高いサービスをライセンス周波数帯域に転移し、ＱｏＳ需要の低いサービスを非ライセンス周波数帯域に転移する。
【００６１】
また例えば、ライセンス周波数帯域に対するＰＤＵセッション（ｓｅｓｓｉｏｎ）のサービスをライセンス周波数帯域に転移し、非ライセンス周波数帯域に対するＰＤＵセッション（ｓｅｓｓｉｏｎ）のサービスを非ライセンス周波数帯域に転移する。
【００６２】
また例えば、ライセンス周波数帯域に対するＤＲＢのサービスをライセンス周波数帯域に転移し、非ライセンス周波数帯域に対するＤＲＢのサービスを非ライセンス周波数帯域に転移する。
【００６３】
具体的に、ネットワーク装置にとって、該第１の情報がＰＤＵセッションである場合、該ネットワーク装置はコアネットワーク装置であり、例えば、該コアネットワーク装置はＡＭＦ装置又はＵＰＦ装置であり、ライセンス周波数帯域及び非ライセンス周波数帯域に対応するＡＭＦ装置は同じであり（即ち、ライセンス周波数帯域及び非ライセンス周波数帯域は同一のＡＭＦ装置に対応する）、ライセンス周波数帯域及び非ライセンス周波数帯域に対応するＵＰＦ装置は異なる。
【００６４】
選択肢として、該制御情報は具体的に、該端末装置によるライセンス周波数帯域及び非ライセンス周波数帯域での異なるＰＤＵセッションのサービス配布を制御することに用いられる。
【００６５】
具体的に、ネットワーク装置にとって、該第１の情報がＱｏＳフローである場合、該ネットワーク装置はコアネットワーク装置であり、例えば、該コアネットワーク装置はＡＭＦ装置であり、ライセンス周波数帯域及び非ライセンス周波数帯域に対応するコアネットワーク装置は同じである（即ち、ライセンス周波数帯域及び非ライセンス周波数帯域は同一のＡＭＦ装置に対応する）。
【００６６】
選択肢として、該制御情報は具体的に、該端末装置によるライセンス周波数帯域及び非ライセンス周波数帯域での同一のＰＤＵセッションにおける異なるＱｏＳフローのサービス配布を制御することに用いられる。
【００６７】
具体的に、ネットワーク装置にとって、該第１の情報がＤＲＢである場合、該ネットワーク装置はアクセスネットワーク装置であり、該端末装置が該第１のネットワークにアクセスする方式は非スタンドアローンである。
【００６８】
選択肢として、該制御情報は具体的に、該端末装置によるライセンス周波数帯域及び非ライセンス周波数帯域での異なるＤＲＢのサービス配布を制御することに用いられる。
【００６９】
具体的に、該ネットワーク装置は以下の方式で制御情報を確定することができる。
【００７０】
方式１
該アクセスネットワーク装置は、コアネットワーク装置又は該端末装置から送信された、該端末装置に対するＤＲＢをライセンス周波数帯域及び非ライセンス周波数帯域に配布することを示す第１の指示情報を受信し、
該アクセスネットワーク装置は該第１の指示情報に基づいて該制御情報を確定する。
【００７１】
好適には、該アクセスネットワーク装置はコアネットワーク装置から送信された該第１の指示情報を受信する。
【００７２】
アクセスネットワーク装置はコアネットワーク装置又は端末装置から送信された、端末装置に対するＤＲＢをライセンス周波数帯域及び非ライセンス周波数帯域に配布することを示す第１の指示情報を受信することで、アクセスネットワーク装置は、端末装置によるライセンス周波数帯域及び非ライセンス周波数帯域での異なるＤＲＢのサービス配布を制御するための制御情報を確定することができる。
【００７３】
方式２
該アクセスネットワーク装置はコアネットワーク装置から送信された、５ＱＩ又はＱＦＩに基づいてサービスをライセンス周波数帯域及び非ライセンス周波数帯域に配布することを示す第２の指示情報を受信し、
該アクセスネットワーク装置は該第２の指示情報に基づいて、ＤＲＢをライセンス周波数帯域及び非ライセンス周波数帯域に配布する制約条件を確定し、
該アクセスネットワーク装置は該制約条件に基づいて該制御情報を確定する。
【００７４】
アクセスネットワーク装置はコアネットワーク装置から送信された、５ＱＩ又はＱＦＩに基づいてサービスをライセンス周波数帯域及び非ライセンス周波数帯域に配布することを示す第２の指示情報を受信することで、アクセスネットワーク装置は、端末装置によるライセンス周波数帯域及び非ライセンス周波数帯域での異なるＤＲＢのサービス配布を制御するための制御情報を確定することができる。
【００７５】
選択肢として、該端末装置が該第１のネットワークにアクセスする前に、該方法２００は、
該ネットワーク装置は、ライセンスネットワーク及び非ライセンスネットワークにおいて該端末装置が選択してアクセスする優先度情報を示すための第１の設定情報を、該端末装置に送信することを更に含む。
【００７６】
選択肢として、該第１の設定情報は明示的又は暗示的に示すことができる。
【００７７】
例えば、該第１の設定情報は、端末装置がライセンスネットワークに優先的にアクセスすることを明示的に示す。例えば、３つのアクセス可能なネットワークがそれぞれＳ１、Ｓ２及びＳ３として存在し、ここで、Ｓ１はライセンスネットワークであり、Ｓ２及びＳ３は非ライセンスネットワークであり、端末装置は該第１の設定情報に基づいてＳ１に優先的にアクセスし、その後、Ｓ２又はＳ３にランダムにアクセスする。
【００７８】
他の例として、該第１の設定情報は、端末装置が非ライセンスネットワークに優先的にアクセスすることを明示的に示す。例えば、３つのアクセス可能なネットワークがそれぞれＳ１、Ｓ２及びＳ３として存在し、ここで、Ｓ１はライセンスネットワークであり、Ｓ２及びＳ３は非ライセンスネットワークであり、端末装置は該第１の設定情報に基づいてＳ２又はＳ３に優先的にアクセスし、最後にＳ１にアクセスする。
【００７９】
更なる例として、ネットワーク装置はライセンスネットワーク及び非ライセンスネットワークのグループ化順序を示し、該第１の設定情報は端末装置が優先的にアクセスするネットワークを暗示的に示し、例えば、アクセス可能なネットワークが１つしかない場合、デフォルトでこのネットワークにアクセスし、アクセス可能なネットワークが複数ある場合、デフォルトでライセンスネットワーク及び非ライセンスネットワークのグループ化順序に応じてネットワークにアクセスする。例えば、３つのアクセス可能なネットワークがそれぞれＳ１、Ｓ２及びＳ３として存在し、Ｓ１はライセンスネットワークであり、Ｓ２及びＳ３は非ライセンスネットワークであり、且つそれらのグループ化順序はＳ１、Ｓ２、Ｓ３であり、端末装置は該第１の設定情報に基づいてＳ１に優先的にアクセスし、次にＳ２にアクセスし、最後にＳ３にアクセスする。
【００８０】
具体的に、該第１の設定情報は、端末装置がライセンスネットワークにアクセスすること、又は、端末装置が非ライセンスネットワークにアクセスすること、又は、端末装置がライセンスネットワーク及び非ライセンスネットワークに同時にアクセスすることを明示的又は暗示的に示す。
【００８１】
選択肢として、該端末装置は該第１の設定情報に基づいて、ネットワークにアクセスする必要があるネットワーク識別情報、及び／又は、初期アクセス（ｉｎｉｔｉａｌ  ａｃｃｅｓｓ）、アタッチ（ａｔｔａｃｈ）及び登録（ｒｅｇｉｓｔｒａｔｉｏｎ）のためのネットワークにアクセスする必要があるシステム情報を確定し、
該端末装置は、該ネットワークにアクセスする必要があるネットワーク識別情報、及び／又は、初期アクセス、アタッチ及び登録のためのネットワークにアクセスする必要があるシステム情報に基づいて、該第１のネットワークにアクセスする。
【００８２】
ネットワーク装置は、ライセンスネットワーク及び非ライセンスネットワークにおいて端末装置が選択してアクセスする優先度情報を構成して示すことで、端末装置はライセンスネットワーク及び非ライセンスネットワークにアクセスすることができる。
【００８３】
選択肢として、該端末装置が該第１のネットワークにアクセスする前に、該方法２００は、
該ネットワーク装置はサービスのＱｏＳ需要及び／又はユーザ契約情報に基づいて、サービスのＱｏＳ需要及び／又はユーザ契約情報とライセンスネットワーク及び非ライセンスネットワークとの対応関係を示すための第２の設定情報を、該端末装置に送信することを更に含む。
【００８４】
選択肢として、該端末装置は、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、該第１のネットワークにアクセスする。
【００８５】
ネットワーク装置は、サービスのＱｏＳ需要及び／又はユーザ契約情報とライセンスネットワーク及び非ライセンスネットワークとの対応関係を構成して示すことで、端末装置はライセンスネットワーク及び非ライセンスネットワークにアクセスすることができる。
【００８６】
選択肢として、上記第１の設定情報及び第２の設定情報は、端末装置が初期に起動されている時に設定されてもよく、端末装置の使用過程に動的に設定されてもよいが、本願の実施例はこれを限定しない。
【００８７】
従って、本願の実施例に係るサービス配布方法において、ネットワーク装置はＰＤＵセッション又はＱｏＳフロー又はＤＲＢに基づいて制御情報を確定することで、端末装置はライセンス周波数帯域及び非ライセンス周波数帯域でのサービス配布を実現する。
【００８８】
図５は本願の実施例に係るサービス配布方法３００の模式的なフローチャートである。該方法３００は図１に示されるシステムに選択可能に適用されるが、これに限定されない。該方法は５Ｇ通信システムに適用され、該方法３００は以下の内容のうち少なくとも一部を含む。
【００８９】
３１０、端末装置はライセンスネットワーク及び／又は非ライセンスネットワークである第１のネットワークにアクセスした後、該端末装置はネットワーク装置から送信された、ＰＤＵセッション又はＱｏＳフロー又はＤＲＢである第１の情報に基づいて確定された制御情報を受信し、該制御情報は該端末装置によるライセンス周波数帯域及び非ライセンス周波数帯域でのサービス配布を制御することに用いられる。
【００９０】
３２０、該端末装置は該制御情報に基づいて、ライセンス周波数帯域及び非ライセンス周波数帯域でサービス配布を実行する。
【００９１】
選択肢として、該端末装置が該第１のネットワークにアクセスする前に、該方法は、
該端末装置は該ネットワーク装置から送信された、ライセンスネットワーク及び非ライセンスネットワークにおいて該端末装置が選択してアクセスする優先度情報を示すための第１の設定情報を受信することと、
該端末装置は該第１の設定情報に基づいて、ネットワークにアクセスする必要があるネットワーク識別情報、及び／又は、初期アクセス、アタッチ及び登録のためのネットワークにアクセスする必要があるシステム情報を確定することと、
該端末装置は、該ネットワークにアクセスする必要があるネットワーク識別情報、及び／又は、初期アクセス、アタッチ及び登録のためのネットワークにアクセスする必要があるシステム情報に基づいて、該第１のネットワークにアクセスすることと、を更に含む。
【００９２】
選択肢として、該端末装置が該第１のネットワークにアクセスする前に、該方法は、
該端末装置は該ネットワーク装置から送信された、サービスのＱｏＳ需要及び／又はユーザ契約情報とライセンスネットワーク及び非ライセンスネットワークとの対応関係を示すための第２の設定情報を受信することと、
該端末装置は、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、該第１のネットワークにアクセスすることと、を更に含む。
【００９３】
選択肢として、該端末装置が該第１のネットワークにアクセスする方式は、該端末装置が非ライセンス周波数帯域でプライマリセル機能及びセカンダリセル機能を実現することを指すスタンドアローン、又は、該端末装置が非ライセンス周波数帯域でセカンダリセル機能を実現することを指す非スタンドアローンである。
【００９４】
選択肢として、該第１の情報がＰＤＵセッションである場合、該ネットワーク装置はコアネットワーク装置であり、該制御情報は具体的に、該端末装置によるライセンス周波数帯域及び非ライセンス周波数帯域での異なるＰＤＵセッションのサービス配布を制御することに用いられ、
該端末装置が該制御情報に基づいて、ライセンス周波数帯域及び非ライセンス周波数帯域でサービス配布を実行することは、
該端末装置は該制御情報に基づいて、ライセンス周波数帯域及び非ライセンス周波数帯域で異なるＰＤＵセッションのサービス配布を実行することを含む。
【００９５】
選択肢として、該コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なる。
【００９６】
選択肢として、該第１の情報がＱｏＳフローである場合、該ネットワーク装置はコアネットワーク装置であり、該制御情報は具体的に、該端末装置によるライセンス周波数帯域及び非ライセンス周波数帯域での同一のＰＤＵセッションにおける異なるＱｏＳフローのサービス配布を制御することに用いられ、
該端末装置が該制御情報に基づいてライセンス周波数帯域及び非ライセンス周波数帯域でサービス配布を実行することは、
該端末装置は該制御情報に基づいて、ライセンス周波数帯域及び非ライセンス周波数帯域で同一のＰＤＵセッションにおける異なるＱｏＳフローのサービス配布を実行することを含む。
【００９７】
選択肢として、該コアネットワーク装置はＡＭＦ装置であり、ライセンス周波数帯域及び非ライセンス周波数帯域に対応するコアネットワーク装置は同じである。
【００９８】
選択肢として、該第１の情報がＤＲＢである場合、該ネットワーク装置はアクセスネットワーク装置であり、該端末装置が該第１のネットワークにアクセスする方式は非スタンドアローンであり、該制御情報は具体的に、該端末装置によるライセンス周波数帯域及び非ライセンス周波数帯域での異なるＤＲＢのサービス配布を制御することに用いられ、
該端末装置が該制御情報に基づいてライセンス周波数帯域及び非ライセンス周波数帯域でサービス配布を実行することは、
該端末装置は該制御情報に基づいてライセンス周波数帯域及び非ライセンス周波数帯域で異なるＤＲＢのサービス配布を実行することを含む。
【００９９】
理解されるように、サービス配布方法３００におけるステップについては、サービス配布方法２００における対応のステップの関連説明を参照でき、簡潔のために、ここで繰り返して説明しない。
【０１００】
従って、本願の実施例に係るサービス配布方法において、ネットワーク装置はＰＤＵセッション又はＱｏＳフロー又はＤＲＢに基づいて制御情報を確定することで、端末装置はライセンス周波数帯域及び非ライセンス周波数帯域でのサービス配布を実現する。
【０１０１】
図６は本願の実施例に係るネットワーク装置４００の模式的なブロック図である。図６に示すように、該ネットワーク装置４００は、第５世代移動通信技術（５Ｇ）通信システムに適用され、
端末装置がライセンスネットワーク及び／又は非ライセンスネットワークである第１のネットワークにアクセスした後、パケットデータユニット（ＰＤＵ）セッション又はサービス品質（ＱｏＳ）フロー又はデータ無線ベアラ（ＤＲＢ）である第１の情報に基づいて、該端末装置によるライセンス周波数帯域及び非ライセンス周波数帯域でのサービス配布を制御するための制御情報を確定することに用いられる処理ユニット４１０と、
該制御情報を該端末装置に送信することに用いられる通信ユニット４２０と、を備える。
【０１０２】
選択肢として、該端末装置が該第１のネットワークにアクセスする前に、該通信ユニット４２０は更に、ライセンスネットワーク及び非ライセンスネットワークにおいて該端末装置が選択してアクセスする優先度情報を示すための第１の設定情報を該端末装置に送信することに用いられる。
【０１０３】
選択肢として、該端末装置が該第１のネットワークにアクセスする前に、該通信ユニット４２０は更に、サービスのＱｏＳ需要及び／又はユーザ契約情報に基づいて、サービスのＱｏＳ需要及び／又はユーザ契約情報とライセンスネットワーク及び非ライセンスネットワークとの対応関係を示すための第２の設定情報を該端末装置に送信することに用いられる。
【０１０４】
選択肢として、該端末装置が該第１のネットワークにアクセスする方式は、該端末装置が非ライセンス周波数帯域でプライマリセル機能及びセカンダリセル機能を実現することを指すスタンドアローン、又は、該端末装置が非ライセンス周波数帯域でセカンダリセル機能を実現することを指す非スタンドアローンである。
【０１０５】
選択肢として、該第１の情報がＰＤＵセッションである場合、該ネットワーク装置はコアネットワーク装置であり、該制御情報は具体的に、該端末装置によるライセンス周波数帯域及び非ライセンス周波数帯域での異なるＰＤＵセッションのサービス配布を制御することに用いられる。
【０１０６】
選択肢として、該コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なる。
【０１０７】
選択肢として、該第１の情報がＱｏＳフローである場合、該ネットワーク装置はコアネットワーク装置であり、該制御情報は具体的に、該端末装置によるライセンス周波数帯域及び非ライセンス周波数帯域での同一のＰＤＵセッションにおける異なるＱｏＳフローのサービス配布を制御することに用いられる。
【０１０８】
選択肢として、該コアネットワーク装置はＡＭＦ装置であり、ライセンス周波数帯域及び非ライセンス周波数帯域に対応するコアネットワーク装置は同じである。
【０１０９】
選択肢として、該第１の情報がＤＲＢである場合、該ネットワーク装置はアクセスネットワーク装置であり、該端末装置が該第１のネットワークにアクセスする方式は非スタンドアローンであり、該制御情報は具体的に、該端末装置によるライセンス周波数帯域及び非ライセンス周波数帯域での異なるＤＲＢのサービス配布を制御することに用いられる。
【０１１０】
選択肢として、該処理ユニット４１０が該第１の情報に基づいて該制御情報を確定する前に、該通信ユニット４２０は更に、コアネットワーク装置又は該端末装置から送信された、該端末装置に対するＤＲＢをライセンス周波数帯域及び非ライセンス周波数帯域に配布することを示す第１の指示情報を受信することに用いられ、
該処理ユニット４１０は具体的に、該第１の指示情報に基づいて該制御情報を確定することに用いられる。
【０１１１】
選択肢として、該処理ユニット４１０が該第１の情報に基づいて該制御情報を確定する前に、該通信ユニット４２０は更に、コアネットワーク装置から送信された、５Ｇサービス品質インジケータ（５ＱＩ）又はＱｏＳフローインジケータ（ＱＦＩ）に基づいてサービスをライセンス周波数帯域及び非ライセンス周波数帯域に配布することを示す第２の指示情報を受信することに用いられ、
該処理ユニット４１０は更に、該第２の指示情報に基づいて、ＤＲＢをライセンス周波数帯域及び非ライセンス周波数帯域に配布する制約条件を確定することに用いられ、
該処理ユニット４１０は具体的に、該制約条件に基づいて該制御情報を確定することに用いられる。
【０１１２】
理解されるように、該ネットワーク装置４００は方法実施例におけるネットワーク装置に対応して、方法実施例におけるネットワーク装置で実現される対応の動作を実現でき、簡潔のために、ここで繰り返して説明しない。
【０１１３】
図７は本願の実施例に係る端末装置５００の模式的なブロック図である。図７に示すように、該端末装置５００は、第５世代移動通信技術（５Ｇ）通信システムに適用され、
端末装置がライセンスネットワーク及び／又は非ライセンスネットワークである第１のネットワークにアクセスした後、ネットワーク装置から送信された、パケットデータユニット（ＰＤＵ）セッション又はサービス品質（ＱｏＳ）フロー又はデータ無線ベアラ（ＤＲＢ）である第１の情報に基づいて確定された制御情報を受信することに用いられ、該制御情報は該端末装置によるライセンス周波数帯域及び非ライセンス周波数帯域でのサービス配布を制御することに用いられる通信ユニット５１０と、
該制御情報に基づいて、ライセンス周波数帯域及び非ライセンス周波数帯域でサービス配布を実行することに用いられる処理ユニット５２０と、を備える。
【０１１４】
選択肢として、該端末装置が該第１のネットワークにアクセスする前に、
該通信ユニット５１０は更に、該ネットワーク装置から送信された、ライセンスネットワーク及び非ライセンスネットワークにおいて該端末装置が選択してアクセスする優先度情報を示すための第１の設定情報を受信することに用いられ、
該処理ユニット５２０は更に、該第１の設定情報に基づいて、ネットワークにアクセスする必要があるネットワーク識別情報、及び／又は、初期アクセス、アタッチ及び登録のためのネットワークにアクセスする必要があるシステム情報を確定することに用いられ、
該処理ユニット５２０は更に、該ネットワークにアクセスする必要があるネットワーク識別情報、及び／又は、初期アクセス、アタッチ及び登録のためのネットワークにアクセスする必要があるシステム情報に基づいて、該第１のネットワークにアクセスすることに用いられる。
【０１１５】
選択肢として、該端末装置が該第１のネットワークにアクセスする前に、
該通信ユニット５１０は更に、該ネットワーク装置から送信された、サービスのＱｏＳ需要及び／又はユーザ契約情報とライセンスネットワーク及び非ライセンスネットワークとの対応関係を示すための第２の設定情報を受信することに用いられ、
該処理ユニット５２０は更に、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、該第１のネットワークにアクセスすることに用いられる。
【０１１６】
選択肢として、該端末装置が該第１のネットワークにアクセスする方式は、該端末装置が非ライセンス周波数帯域でプライマリセル機能及びセカンダリセル機能を実現することを指すスタンドアローン、又は、該端末装置が非ライセンス周波数帯域でセカンダリセル機能を実現することを指す非スタンドアローンである。
【０１１７】
選択肢として、該第１の情報がＰＤＵセッションである場合、該ネットワーク装置はコアネットワーク装置であり、該制御情報は具体的に、該端末装置によるライセンス周波数帯域及び非ライセンス周波数帯域での異なるＰＤＵセッションのサービス配布を制御することに用いられ、
該処理ユニット５２０は具体的に、該制御情報に基づいて、ライセンス周波数帯域及び非ライセンス周波数帯域で異なるＰＤＵセッションのサービス配布を実行することに用いられる。
【０１１８】
選択肢として、該コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なる。
【０１１９】
選択肢として、該第１の情報がＱｏＳフローである場合、該ネットワーク装置はコアネットワーク装置であり、該制御情報は具体的に、該端末装置によるライセンス周波数帯域及び非ライセンス周波数帯域での同一のＰＤＵセッションにおける異なるＱｏＳフローのサービス配布を制御することに用いられ、
該処理ユニット５２０は具体的に、該制御情報に基づいて、ライセンス周波数帯域及び非ライセンス周波数帯域で同一のＰＤＵセッションにおける異なるＱｏＳフローのサービス配布を実行することに用いられる。
【０１２０】
選択肢として、該コアネットワーク装置はＡＭＦ装置であり、ライセンス周波数帯域及び非ライセンス周波数帯域に対応するコアネットワーク装置は同じである。
【０１２１】
選択肢として、該第１の情報がＤＲＢである場合、該ネットワーク装置はアクセスネットワーク装置であり、該端末装置が該第１のネットワークにアクセスする方式は非スタンドアローンであり、該制御情報は具体的に、該端末装置によるライセンス周波数帯域及び非ライセンス周波数帯域での異なるＤＲＢのサービス配布を制御することに用いられ、
該処理ユニット５２０は具体的に、該制御情報に基づいて、ライセンス周波数帯域及び非ライセンス周波数帯域で異なるＤＲＢのサービス配布を実行することに用いられる。
【０１２２】
理解されるように、該端末装置５００は方法実施例における端末装置に対応して、方法実施例における端末装置で実現される対応の動作を実現でき、簡潔のために、ここで繰り返して説明しない。
【０１２３】
図８は本願の実施例に係るシステムチップ６００の構造模式図である。図８のシステムチップ６００は入力インタフェース６０１、出力インタフェース６０２、プロセッサ６０３及びメモリ６０４を備え、前記入力インタフェース６０１、出力インタフェース６０２、プロセッサ６０３及びメモリ６０４は内部通信接続回線を介して接続されてもよく、前記プロセッサ６０３は前記メモリ６０４におけるコードを実行することに用いられる。
【０１２４】
選択肢として、前記コードが実行されると、前記プロセッサ６０３は方法実施例におけるネットワーク装置により実行される方法を実現する。簡潔のために、ここで繰り返して説明しない。
【０１２５】
選択肢として、前記コードが実行されると、前記プロセッサ６０３は方法実施例における端末装置により実行される方法を実現する。簡潔のために、ここで繰り返して説明しない。
【０１２６】
図９は本願の実施例に係るサービス配布装置７００の模式的なブロック図である。図９に示すように、該通信装置７００はプロセッサ７１０とメモリ７２０を備える。該メモリ７２０はプログラムコードを記憶でき、該プロセッサ７１０は該メモリ７２０に記憶されるプログラムコードを実行できる。
【０１２７】
選択肢として、図９に示すように、該通信装置７００は送受信機７３０を備えてもよく、プロセッサ７１０は送受信機７３０の外部通信を制御できる。
【０１２８】
選択肢として、該プロセッサ７１０はメモリ７２０に記憶されるプログラムコードを呼び出して、方法実施例におけるネットワーク装置の対応する動作を実行することができ、簡潔のために、ここで繰り返して説明しない。
【０１２９】
選択肢として、該プロセッサ７１０はメモリ７２０に記憶されるプログラムコードを呼び出して、方法実施例における端末装置の対応する動作を実行することができ、簡潔のために、ここで繰り返して説明しない。
【０１３０】
理解されるように、本願の実施例におけるプロセッサは集積回路チップであってもよく、信号処理機能を有する。実現過程において、上記方法実施例の各ステップをプロセッサにおけるハードウェアの集積論理回路又はソフトウェア形態の命令によって遂行することができる。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブル論理デバイス、離散ゲート又はトランジスタ論理デバイス、離散ハードウェアコンポーネントであってもよい。本願の実施例に開示されている各方法、ステップ及び論理ブロック図を実現又は実行することができる。汎用プロセッサはマイクロプロセッサであってもよく、又は該プロセッサは任意の通常のプロセッサ等であってもよい。本願の実施例に開示されている方法のステップは、ハードウェアデコードプロセッサにより実行して完了し、又はデコードプロセッサにおけるハードウェアとソフトウェアモジュールとの組み合わせにより実行して完了するように直接に具現することができる。ソフトウェアモジュールはランダムアクセスメモリ、フラッシュメモリ、読み出し専用メモリ、プログラマブル読み出し専用メモリ又は電気的消去可能プログラマブルメモリ、レジスタ等の本分野で成熟した記憶媒体に位置してもよい。該記憶媒体はメモリに位置し、プロセッサはメモリにおける情報を読み取り、そのハードウェアを組み合わせて上記方法のステップを遂行する。
【０１３１】
理解できるように、本願の実施例におけるメモリは揮発性メモリ又は不揮発性メモリであってもよく、又は揮発性と不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラマブル読み出し専用メモリ（ＰＲＯＭ、Ｐｒｏｇｒａｍｍａｂｌｅ  ＲＯＭ）、消去可能なプログラマブル読み取り専用メモリ（ＥＰＲＯＭ、Ｅｒａｓａｂｌｅ  ＰＲＯＭ）、電気的に消去可能なプログラマブル読み取り専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部高速キャッシュとして使用される。例示的なものであるが限定するものではない説明によって、多くの形態のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、強化型シンクロナスダイナミックランダムアクセスメモリ（ＥＳＤＲＡＭ、Ｅｎｈａｎｃｅｄ  ＳＤＲＡＭ）、同期接続ダイナミックランダムアクセスメモリ（ＳＬＤＲＡＭ、Ｓｙｎｃｈｌｉｎｋ  ＤＲＡＭ）及びダイレクトメモリバスランダムアクセスメモリ（ＤＲ  ＲＡＭ、Ｄｉｒｅｃｔ  Ｒａｍｂｕｓ  ＲＡＭ）が利用可能である。なお、本明細書で説明されるシステム及び方法のメモリは、これらと任意の他の適合なタイプのメモリを含むがこれらに限定されない。
【０１３２】
当業者が意識できるように、本明細書に開示されている実施例で説明される各例示的なユニット及びアルゴリズムステップは、電子ハードウェア、又はコンピュータソフトウェア及び電子ハードウェアの組み合わせで実現することができる。これらの機能がハードウェアで実行するかソフトウェアで実行するかは、技術案の特定の応用及び設計制約条件によって決められる。当業者は各特定の応用に対して異なる方法で説明した機能を実現することができるが、このような実現は本願の範囲を超えると考えられない。
【０１３３】
当業者が明確に理解できるように、説明の便宜及び簡潔のために、上記説明されるシステム、装置及びユニットの具体的な動作過程については、上記方法実施例における対応の過程を参照することができ、ここで繰り返して説明しない。
【０１３４】
本願に係るいくつかの実施例では、開示されたシステム、装置及び方法が他の形態により実現されてもよいことは理解される。例えば、以上の説明した装置の実施例は例示的なものに過ぎず、例えば、該ユニットの分割はロジック機能の分割に過ぎず、実際の実現では他の分割方式があってもよく、例えば、複数のユニット又は要素は他のシステムに組み合わせ又は統合してもよく、又は一部の特徴を無視したり実行しなかったりしてもよい。また、表示又は検討される相互結合、或いは直接結合又は通信接続はいくつかのインタフェース、装置又はユニットを介する間接結合又は通信接続であってもよく、電気的、機械的、又は他の形態であってもよい。
【０１３５】
分離部材として説明した前記ユニットは物理的に分離してもよく、物理的に分離しなくてもよく、ユニットとして表示される部材は物理的ユニットであってもよく、又は物理的ユニットでなくてもよく、即ち、１つの場所に位置してもよく、又は複数のネットワークユニットに分散してもよい。実際のニーズに応じて、一部又は全てのユニットを選択して本実施例の方案の目的を実現することができる。
【０１３６】
また、本願の各実施例における各機能ユニットは１つの処理ユニットに統合されてもよく、それぞれのユニットが別々に物理的に存在してもよく、更に、２つ以上のユニットが１つのユニットに統合されてもよい。
【０１３７】
前記機能がソフトウェア機能ユニットの形態で実現され独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等であってもよい）に本願の各実施例に記載の方法の全て又は一部のステップを実行させるための複数の命令を含む。上記記憶媒体はＵＳＢフラッシュメモリ、モバイルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプロクラムコードを記憶可能な様々な媒体を含む。
【０１３８】
以上は本願の具体的な実施形態に過ぎず、本願の保護範囲はこれに限定されず、当業者が本願に開示されている技術範囲内において容易に想到し得る変化や置換は、全て本願の保護範囲に含まれる。このため、本願の保護範囲は請求項の保護範囲を基準とすべきである。
【図１】
2021514555.tif 000003
【図２】
2021514555.tif 000004
【図３】
2021514555.tif 000005
【図４】
2021514555.tif 000006
【図５】
2021514555.tif 000007
【図６】
2021514555.tif 000008
【図７】
2021514555.tif 000009
【図８】
2021514555.tif 000010
【図９】
2021514555.tif 000011
【手続補正書】
【提出日】令和2年12月9日(2020.12.9)
【手続補正１】
【補正対象書類名】明細書
【補正対象項目名】００３２
【補正方法】変更
【補正の内容】
【００３２】
第３の態様では、本願の実施例は、第１の態様又は第１の態様のいずれかの実現方式における方法を実行できるモジュール又はユニットを備えるネットワーク装置を提供する。
【手続補正２】
【補正対象書類名】明細書
【補正対象項目名】００３３
【補正方法】変更
【補正の内容】
【００３３】
第４の態様では、本願の実施例は、第２の態様又は第２の態様のいずれかの実現方式における方法を実行できるモジュール又はユニットを備える端末装置を提供する。
【手続補正３】
【補正対象書類名】明細書
【補正対象項目名】００３４
【補正方法】変更
【補正の内容】
【００３４】
第５の態様ではネットワーク装置を提供し、該ネットワーク装置はプロセッサ、メモリ及び通信インタフェースを備える。プロセッサはメモリ及び通信インタフェースに接続される。メモリは命令を記憶することに用いられ、プロセッサは該命令を実行することに用いられ、通信インタフェースはプロセッサの制御下で他のネットワーク要素と通信を行うことに用いられる。該プロセッサは該メモリに記憶される命令を実行する場合、該実行により該プロセッサは第１の態様又は第１の態様のいずれかの実現方式における方法を実行する。
【手続補正４】
【補正対象書類名】明細書
【補正対象項目名】００３５
【補正方法】変更
【補正の内容】
【００３５】
第６の態様では端末装置を提供し、該端末装置はプロセッサ、メモリ及び通信インタフェースを備える。プロセッサはメモリ及び通信インタフェースに接続される。メモリは命令を記憶することに用いられ、プロセッサは該命令を実行することに用いられ、通信インタフェースはプロセッサの制御下で他のネットワーク要素と通信を行うことに用いられる。該プロセッサは該メモリに記憶される命令を実行する場合、該実行により該プロセッサは第２の態様又は第２の態様のいずれかの実現方式における方法を実行する。
【手続補正５】
【補正対象書類名】明細書
【補正対象項目名】０１２６
【補正方法】変更
【補正の内容】
【０１２６】
図９は本願の実施例に係るサービス配布装置７００の模式的なブロック図である。図９に示すように、該サービス配布装置７００はプロセッサ７１０とメモリ７２０を備える。該メモリ７２０はプログラムコードを記憶でき、該プロセッサ７１０は該メモリ７２０に記憶されるプログラムコードを実行できる。
【手続補正６】
【補正対象書類名】明細書
【補正対象項目名】０１２７
【補正方法】変更
【補正の内容】
【０１２７】
選択肢として、図９に示すように、該サービス配布装置７００は送受信機７３０を備えてもよく、プロセッサ７１０は送受信機７３０の外部通信を制御できる。
【手続補正７】
【補正対象書類名】特許請求の範囲
【補正対象項目名】全文
【補正方法】変更
【補正の内容】
【特許請求の範囲】
【請求項１】
サービス配布方法であって、第５世代移動通信技術（５Ｇ）通信システムに適用され、
端末装置はライセンスネットワーク及び／又は非ライセンスネットワークである第１のネットワークにアクセスした後、前記端末装置はネットワーク装置から送信された、パケットデータユニット（ＰＤＵ）セッション又はサービス品質（ＱｏＳ）フロー又はデータ無線ベアラ（ＤＲＢ）である第１の情報に基づいて確定された制御情報を受信し、前記制御情報は前記端末装置によるライセンス周波数帯域及び非ライセンス周波数帯域でのサービス配布を制御することに用いられることと、
前記端末装置は前記制御情報に基づいて、ライセンス周波数帯域及び非ライセンス周波数帯域でサービス配布を実行することと、を含むことを特徴とするサービス配布方法。
【請求項２】
前記端末装置が前記第１のネットワークにアクセスする前に、前記方法は、
前記端末装置は前記ネットワーク装置から送信された第１の設定情報を受信し、前記第１の設定情報は、ライセンスネットワーク及び非ライセンスネットワークにおける優先度情報を示すことに用いられ、前記優先度情報は前記端末装置が前記ライセンスネットワーク及び非ライセンスネットワークから選択して優先的にアクセスするネットワークに用いられることと、
前記端末装置は前記第１の設定情報に基づいて、ネットワークにアクセスする必要があるネットワーク識別情報、及び／又は、初期アクセス、アタッチ及び登録のためのネットワークにアクセスする必要があるシステム情報を確定することと、
前記端末装置は、前記ネットワークにアクセスする必要があるネットワーク識別情報、及び／又は、初期アクセス、アタッチ及び登録のためのネットワークにアクセスする必要があるシステム情報に基づいて、前記第１のネットワークにアクセスすることと、を更に含むことを特徴とする請求項１に記載の方法。
【請求項３】
前記端末装置が前記第１のネットワークにアクセスする前に、前記方法は、
前記端末装置は、前記ネットワーク装置から送信された、サービスのＱｏＳ需要及び／又はユーザ契約情報とライセンスネットワーク及び非ライセンスネットワークとの対応関係を示すための第２の設定情報を受信することと、
前記端末装置は、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、前記第１のネットワークにアクセスすることと、を更に含むことを特徴とする請求項１に記載の方法。
【請求項４】
前記端末装置が前記第１のネットワークにアクセスする方式は、前記端末装置が非ライセンス周波数帯域でプライマリセル機能及びセカンダリセル機能を実現することを指すスタンドアローン、又は、前記端末装置が非ライセンス周波数帯域でセカンダリセル機能を実現することを指す非スタンドアローンであることを特徴とする請求項１〜３のいずれか１項に記載の方法。
【請求項５】
前記第１の情報がＰＤＵセッションである場合、前記ネットワーク装置はコアネットワーク装置であり、前記制御情報は具体的に、前記端末装置によるライセンス周波数帯域及び非ライセンス周波数帯域での異なるＰＤＵセッションのサービス配布を制御することに用いられ、
前記端末装置が前記制御情報に基づいてライセンス周波数帯域及び非ライセンス周波数帯域でサービス配布を実行することは、
前記端末装置は前記制御情報に基づいて、ライセンス周波数帯域及び非ライセンス周波数帯域で異なるＰＤＵセッションのサービス配布を実行することを含むことを特徴とする請求項１〜４のいずれか１項に記載の方法。
【請求項６】
ネットワーク装置であって、第５世代移動通信技術（５Ｇ）通信システムに適用され、
端末装置がライセンスネットワーク及び／又は非ライセンスネットワークである第１のネットワークにアクセスした後、パケットデータユニット（ＰＤＵ）セッション又はサービス品質（ＱｏＳ）フロー又はデータ無線ベアラ（ＤＲＢ）である第１の情報に基づいて、前記端末装置によるライセンス周波数帯域及び非ライセンス周波数帯域でのサービス配布を制御するための制御情報を確定することに用いられる処理ユニットと、
前記制御情報を前記端末装置に送信することに用いられる通信ユニットと、を備えることを特徴とするネットワーク装置。
【請求項７】
端末装置であって、第５世代移動通信技術（５Ｇ）通信システムに適用され、
端末装置がライセンスネットワーク及び／又は非ライセンスネットワークである第１のネットワークにアクセスした後、ネットワーク装置から送信された、パケットデータユニット（ＰＤＵ）セッション又はサービス品質（ＱｏＳ）フロー又はデータ無線ベアラ（ＤＲＢ）である第１の情報に基づいて確定された制御情報を受信することに用いられ、前記制御情報は前記端末装置によるライセンス周波数帯域及び非ライセンス周波数帯域でのサービス配布を制御することに用いられる通信ユニットと、
前記制御情報に基づいてライセンス周波数帯域及び非ライセンス周波数帯域でサービス配布を実行することに用いられる処理ユニットと、を備えることを特徴とする端末装置。
【請求項８】
前記端末装置が前記第１のネットワークにアクセスする前に、
前記通信ユニットは更に、前記ネットワーク装置から送信された第１の設定情報を受信ことに用いられ、前記第１の設定情報は、ライセンスネットワーク及び非ライセンスネットワークにおける優先度情報を示すことに用いられ、前記優先度情報は前記端末装置が前記ライセンスネットワーク及び非ライセンスネットワークから選択して優先的にアクセスするネットワークことに用いられ、
前記処理ユニットは更に、前記第１の設定情報に基づいて、ネットワークにアクセスする必要があるネットワーク識別情報、及び／又は、初期アクセス、アタッチ及び登録のためのネットワークにアクセスする必要があるシステム情報を確定することに用いられ、
前記処理ユニットは更に、前記ネットワークにアクセスする必要があるネットワーク識別情報、及び／又は、初期アクセス、アタッチ及び登録のためのネットワークにアクセスする必要があるシステム情報に基づいて、前記第１のネットワークにアクセスすることに用いられることを特徴とする請求項７に記載の端末装置。
【請求項９】
前記端末装置が前記第１のネットワークにアクセスする前に、
前記通信ユニットは更に、前記ネットワーク装置から送信された、サービスのＱｏＳ需要及び／又はユーザ契約情報とライセンスネットワーク及び非ライセンスネットワークとの対応関係を示すための第２の設定情報を受信することに用いられ、
前記処理ユニットは更に、伝送する必要があるサービスのＱｏＳ需要及び／又はユーザ契約情報、及びサービスのＱｏＳ需要及び／又はユーザ契約情報とライセンスネットワーク及び非ライセンスネットワークとの対応関係に基づいて、前記第１のネットワークにアクセスすることに用いられることを特徴とする請求項７に記載の端末装置。
【請求項１０】
前記端末装置が前記第１のネットワークにアクセスする方式は、前記端末装置が非ライセンス周波数帯域でプライマリセル機能及びセカンダリセル機能を実現することを指すスタンドアローン、又は、前記端末装置が非ライセンス周波数帯域でセカンダリセル機能を実現することを指す非スタンドアローンであることを特徴とする請求項７〜９のいずれか１項に記載の端末装置。
【請求項１１】
前記第１の情報がＰＤＵセッションである場合、前記ネットワーク装置はコアネットワーク装置であり、前記制御情報は具体的に、前記端末装置によるライセンス周波数帯域及び非ライセンス周波数帯域での異なるＰＤＵセッションのサービス配布を制御することに用いられ、
前記処理ユニットは具体的に、前記制御情報に基づいて、ライセンス周波数帯域及び非ライセンス周波数帯域で異なるＰＤＵセッションのサービス配布を実行することに用いられることを特徴とする請求項７〜１０のいずれか１項に記載の端末装置。
【請求項１２】
前記コアネットワーク装置はアクセス及びモビリティ管理機能（ＡＭＦ）装置又はユーザプレーン機能（ＵＰＦ）装置であり、ライセンス周波数帯域及び非ライセンス周波数帯域に対応するＡＭＦ装置は同じであり、ライセンス周波数帯域及び非ライセンス周波数帯域に対応するＵＰＦ装置は異なることを特徴とする請求項１１に記載の端末装置。
【請求項１３】
前記第１の情報がＱｏＳフローである場合、前記ネットワーク装置はコアネットワーク装置であり、前記制御情報は具体的に、前記端末装置によるライセンス周波数帯域及び非ライセンス周波数帯域での同一のＰＤＵセッションにおける異なるＱｏＳフローのサービス配布を制御することに用いられ、
前記処理ユニットは具体的に、前記制御情報に基づいて、ライセンス周波数帯域及び非ライセンス周波数帯域で同一のＰＤＵセッションにおける異なるＱｏＳフローのサービス配布を実行することに用いられることを特徴とする請求項７〜１０のいずれか１項に記載の端末装置。
【請求項１４】
前記コアネットワーク装置はＡＭＦ装置であり、ライセンス周波数帯域及び非ライセンス周波数帯域に対応するコアネットワーク装置は同じであることを特徴とする請求項１３に記載の端末装置。
【請求項１５】
前記第１の情報がＤＲＢである場合、前記ネットワーク装置はアクセスネットワーク装置であり、前記端末装置が前記第１のネットワークにアクセスする方式は非スタンドアローンであり、前記制御情報は具体的に、前記端末装置によるライセンス周波数帯域及び非ライセンス周波数帯域での異なるＤＲＢのサービス配布を制御することに用いられ、
前記処理ユニットは具体的に、前記制御情報に基づいて、ライセンス周波数帯域及び非ライセンス周波数帯域で異なるＤＲＢのサービス配布を実行することに用いられることを特徴とする請求項７〜１０のいずれか１項に記載の端末装置。
【手続補正８】
【補正対象書類名】図面
【補正対象項目名】図８
【補正方法】変更
【補正の内容】
【図８】
2021514555.tif 000012
【国際調査報告】
2021514555.tif 000013
2021514555.tif 000014
2021514555.tif 000015
2021514555.tif 000016